(57)【要約】【課題】ケーブルが損傷する可能性を低減しつつ、ケーブルを強固に固定する。【解決手段】コネクタ１００は、複数の心線を含むケーブルの端部が接続されるコネクタであり、開口を通じてケーブルが配置される配置空間を形成する配置面部を含むハウジング１０５と、配置空間に配置されて、ハウジング１０５とともにケーブルを配置空間に保持するための係止部材１０６とを備える。ハウジング１０５は、配置空間の中へ突き出すように上方に変位することによって、配置空間に配置されたケーブルの外表面を押圧してケーブルを係止する第１係止部１１８を含む。係止部材１０６は、配置空間に配置された場合に配置面部と接触することによって左右方向に対置され、ケーブルの外表面を押圧して挟むことによってケーブルを係止する一対の第２係止部１３０＿Ｌ，１３０＿Ｒを含む。【選択図】図５
2020087562.tif 000002
【特許請求の範囲】
【請求項１】
複数の心線を含むケーブルの端部が接続されるコネクタであって、
開口を通じて前記ケーブルが配置される空間であって内部から前記開口へ向かって第１方向に延びる配置空間を形成する配置面部を含むハウジングと、
前記配置空間に配置されて、前記ハウジングとともに前記ケーブルを前記配置空間に保持するための係止部材とを備え、
前記ハウジングは、前記配置空間の中へ突き出すように前記第１方向と直交する第２方向に変位することによって、前記配置空間に配置された前記ケーブルの外表面を押圧して前記ケーブルを係止する第１係止部を含み、
前記係止部材は、前記配置空間に配置された場合に前記配置面部と接触することによって前記第１方向と直交し且つ第２方向と交差する第３方向に沿って対置される部位であって、前記ケーブルの外表面を押圧して挟むことによって前記ケーブルを係止する一対の第２係止部を含む
ことを特徴とするコネクタ。
【請求項２】
前記係止部材は、前記複数の心線を保持する心線保持部をさらに含み、
前記一対の第２係止部は、それぞれ、前記心線保持部の前記第１方向に沿った端部のうちの一端部から前記第１方向に延びる
ことを特徴とする請求項１に記載のコネクタ。
【請求項３】
前記係止部材は、前記心線保持部と前記一対の第２係止部のそれぞれとを連結する連結部をさらに含み、
前記一対の第２係止部の各々は、前記連結部を中心として前記心線保持部に対して回転する
ことを特徴とする請求項２に記載のコネクタ。
【請求項４】
前記連結部は、前記心線保持部及び前記一対の第２係止部と一体的に形成されている
ことを特徴とする請求項３に記載のコネクタ。
【請求項５】
前記一対の第２係止部は、前記配置空間に配置するために前記ハウジングに対して前記開口から前記第１方向とは逆の方向に移動すると、各々の外面が前記配置面部と接触することによって前記第３方向に沿って互いに対向する内面の間隔が次第に狭くなる間隔で、前記心線保持部の前記一端部に接続する
ことを特徴とする請求項２から４のいずれか１項に記載のコネクタ。
【請求項６】
前記心線保持部は、前記複数の心線を１つ又は複数の心線から構成されるグループに分けて保持する
ことを特徴とする請求項２から５のいずれか１項に記載のコネクタ。
【請求項７】
前記複数の心線は、複数対の心線から構成され、
前記心線保持部は、前記心線を対ごとの前記グループに分けて前記第１方向に沿って配置するための複数の仕分け部を含む
ことを特徴とする請求項６に記載のコネクタ。
【請求項８】
前記仕分け部の各々は、前記心線の対を通過させるための前記第１方向に沿った貫通孔を形成する
ことを特徴とする請求項７に記載のコネクタ。
【請求項９】
前記心線の各々を前記第１方向に沿って整列させるための部材であって、前記配置空間において前記心線保持部の前記第１方向に沿った端部のうちの他端部に対置される整列部材をさらに備える
ことを特徴とする請求項２から８のいずれか１項に記載のコネクタ。
【請求項１０】
前記第１係止部は、前記ケーブルを係止した状態において、前記一対の第２係止部の少なくとも一方と接触することによって前記ハウジングに対する前記係止部材の前記第１方向への移動を規制する規制部を含む
ことを特徴とする請求項１から９のいずれか１項に記載のコネクタ。
【請求項１１】
前記一対の第２係止部の各々は、前記ケーブルの外表面を押圧するための平面又は湾曲面を形成する押圧面部を含む
ことを特徴とする請求項１から１０のいずれか１項に記載のコネクタ。
【請求項１２】
前記ハウジングの周囲に配置されるシェル本体部と、前記シェル本体部から前記収容空間へ延びて前記第１係止部と対置され、前記配置空間に配置された前記ケーブルの外周面を押圧するシェル延設部とを含む導電シェルをさらに備える
ことを特徴とする請求項１から１１のいずれか１項に記載のコネクタ。
【請求項１３】
前記複数の心線の各々は、被覆された電線であり、
前記コネクタは、前記複数の心線のそれぞれに取り付けられて、前記ハウジングに配置される複数の端子をさらに備える
ことを特徴とする請求項１から１２のいずれか１項に記載のコネクタ。
【発明の詳細な説明】
【技術分野】
【０００１】
本発明は、コネクタに関する。
【背景技術】
【０００２】
例えば特許文献１には、図３５に示すように、プラグハウジング１、ロードバー２、ケーブルオーガナイザ３を含む高周波伝送プラグが開示されている。この高周波伝送プラグでは、プラグハウジング１の後側上方の位置決め槽１２内の圧持ブロック１２１が下方へと押され、その凹弧部１２１１の下端縁面１２１０がプラグハウジング１とケーブル４の後側を圧着固定する。
【先行技術文献】
【特許文献】
【０００３】
【特許文献１】実用新案登録第３１２７８１４号公報
【発明の概要】
【発明が解決しようとする課題】
【０００４】
しかしながら、特許文献１に記載の高周波伝送プラグでは、ケーブル４を強固に固定するためには、通常、ケーブル４を強い力で押圧する必要がある。強い力で押圧されたケーブル４は大きく押し潰されることになり、その結果、ケーブルに含まれる電線とその被覆との間にすき間が生じたり、電線自体が変形したりすることなどのケーブルの損傷を引き起こすことがある。
【０００５】
本発明は、このような事情に鑑みてなされたものであって、ケーブルが損傷する可能性を低減しつつ、ケーブルを強固に固定することが可能なコネクタを提供することを目的とする。
【課題を解決するための手段】
【０００６】
上記目的を達成するため、本発明に係るコネクタは、
複数の心線を含むケーブルの端部が接続されるコネクタであって、
開口を通じて前記ケーブルが配置される空間であって内部から前記開口へ向かって第１方向に延びる配置空間を形成する配置面部を含むハウジングと、
前記配置空間に配置されて、前記ハウジングとともに前記ケーブルを前記配置空間に保持するための係止部材とを備え、
前記ハウジングは、前記配置空間の中へ突き出すように前記第１方向と直交する第２方向に変位することによって、前記配置空間に配置された前記ケーブルの外表面を押圧して前記ケーブルを係止する第１係止部を含み、
前記係止部材は、前記配置空間に配置された場合に前記配置面部と接触することによって前記第１方向と直交し且つ第２方向と交差する第３方向に沿って対置される部位であって、前記ケーブルの外表面を押圧して挟むことによって前記ケーブルを係止する一対の第２係止部を含む。
【０００７】
前記係止部材は、前記複数の心線を保持する心線保持部をさらに含み、
前記一対の第２係止部は、それぞれ、前記心線保持部の前記第１方向に沿った端部のうちの一端部から前記第１方向に延びてもよい。
【０００８】
前記係止部材は、前記心線保持部と前記一対の第２係止部のそれぞれとを連結する連結部をさらに含み、
前記一対の第２係止部の各々は、前記連結部を中心として前記心線保持部に対して回転してもよい。
【０００９】
前記連結部は、前記心線保持部及び前記一対の第２係止部と一体的に形成されてもよい。
【００１０】
前記一対の第２係止部は、前記配置空間に配置するために前記ハウジングに対して前記開口から前記第１方向とは逆の方向に移動すると、各々の外面が前記配置面部と接触することによって前記第３方向に沿って互いに対向する内面の間隔が次第に狭くなる間隔で、前記心線保持部の前記一端部に接続してもよい。
【００１１】
前記心線保持部は、前記複数の心線を１つ又は複数の心線から構成されるグループに分けて保持してもよい。
【００１２】
前記複数の心線は、複数対の心線から構成され、
前記心線保持部は、前記心線を対ごとの前記グループに分けて前記第１方向に沿って配置するための複数の仕分け部を含んでもよい。
【００１３】
前記仕分け部の各々は、前記心線の対を通過させるための前記第１方向に沿った貫通孔を形成してもよい。
【００１４】
前記心線の各々を前記第１方向に沿って整列させるための部材であって、前記配置空間において前記心線保持部の前記第１方向に沿った端部のうちの他端部に対置される整列部材をさらに備えてもよい。
【００１５】
前記第１係止部は、前記ケーブルを係止した状態において、前記一対の第２係止部の少なくとも一方と接触することによって前記ハウジングに対する前記係止部材の前記第１方向への移動を規制する規制部を含んでもよい。
【００１６】
前記一対の第２係止部の各々は、前記ケーブルの外表面を押圧するための平面又は湾曲面を形成する押圧面部を含んでもよい。
【００１７】
前記ハウジングの周囲に配置されるシェル本体部と、前記シェル本体部から前記収容空間へ延びて前記第１係止部と対置され、前記配置空間に配置された前記ケーブルの外周面を押圧するシェル延設部とを含む導電シェルをさらに備えてもよい。
【００１８】
前記複数の心線の各々は、被覆された電線であり、
前記コネクタは、前記複数の心線のそれぞれに取り付けられて、前記ハウジングに配置される複数の端子をさらに備えてもよい。
【発明の効果】
【００１９】
本発明によれば、ケーブルが損傷する可能性を低減しつつ、ケーブルを強固に固定することが可能になる。
【図面の簡単な説明】
【００２０】
【図１】本発明の一実施の形態に係る、ケーブルが接続されたコネクタを右上前方から見た斜視図である。
【図２】一実施の形態に係る、ケーブルが接続されたコネクタを右下前方から見た斜視図である。
【図３】一実施の形態に係るケーブルの端部の側面図である。
【図４】一実施の形態に係るコネクタを右上前方から見た分解斜視図である。
【図５】一実施の形態に係るコネクタを右下前方から見た分解斜視図である。
【図６】一実施の形態に係るコネクタの正面図である。
【図７】図６のＶＩＩ−ＶＩＩ線におけるコネクタの断面図である。
【図８】一実施の形態に係る、導電シェルが取り付けられたハウジングの背面図である。
【図９Ａ】図７の点線Ｄで囲んだ部分の拡大図であって、初期位置に位置付けられた第１係止部を示す。
【図９Ｂ】図９Ａに対応する拡大図であり、保持位置に位置付けられた第１係止部を示す。
【図９Ｃ】図７のＩＸ＿Ｃ−ＩＸ＿Ｃ線における、第１係止部が保持位置にある場合のコネクタの後方断面図である。
【図１０】一実施の形態に係る、一対の第２係止部が係止位置にある場合の係止部材を右上前方から見た斜視図である。
【図１１】一実施の形態に係る、一対の第２係止部が係止位置にある場合の係止部材の正面図である。
【図１２】一実施の形態に係る心線保持部の後面に沿った係止部材を後方から見た断面図である。
【図１３】図１２のＸＩＩＩ−ＸＩＩＩ線における心線保持部の断面図である。
【図１４】図１２のＸＩＶ−ＸＩＶ線における心線保持部の断面図である。
【図１５】図１２のＸＶ−ＸＶ線における心線保持部の断面図である。
【図１６】図１２のＸＶＩ−ＸＶＩ線における心線保持部の断面図である。
【図１７】一実施の形態に係る、一対の第２係止部が拡幅位置にある場合の係止部材を右上前方から見た斜視図である。
【図１８】本実施の形態に係る、一対の第２係止部が拡幅位置にある場合の係止部材の平面図である。
【図１９】本実施の形態に係る、一対の第２係止部が拡幅位置にある場合の係止部材の背面図である。
【図２０】図６のＸＸ−ＸＸ線におけるコネクタの断面図である。
【図２１】図７のＸＸＩ−ＸＸＩ線におけるコネクタの断面図である。
【図２２】本発明の一実施の形態に係る、導電シェルが取り付けられたハウジングを右上後方から見た斜視図である。
【図２３】一実施の形態に係るブーツがケーブルの端部に取り付けられた状態を右上後方から見た斜視図である。
【図２４】一実施の形態に係る係止部材にケーブルの端部が取り付けられる直前の状態を右上後方から見た斜視図である。
【図２５】一実施の形態に係る係止部材にケーブルの端部が取り付けられた状態を右上後方から見た斜視図である。
【図２６】一実施の形態に係る係止部材に整列部材が取り付けられる直前の状態を右上後方から見た斜視図である。
【図２７】一実施の形態に係る係止部材に整列部材が取り付けられた状態を右上後方から見た斜視図である。
【図２８】一実施の形態に係るハウジングに係止部材及び整列部材がケーブルとともに取り付けられる直前の状態を右上後方から見た斜視図である。
【図２９】一実施の形態に係るハウジングに係止部材及び整列部材がケーブルとともに取り付けられる直前の状態を右上後方から見た斜視図である。
【図３０】一実施の形態に係るケーブルが取り付けられた係止部材及び整列部材の平面図であって、係止部材及び整列部材がケーブルの端部とともにハウジングの配置空間に配置された状態を示す。
【図３１】一実施の形態に係るブーツが、ハウジング及び係止部材に取り付けられた状態を右上後方から見た斜視図である。
【図３２】一実施の形態に係る、端子を取り付けるとともに第１係止部を保持位置に変位させる直前の圧接工具を右上後方から見た斜視図である。
【図３３】一実施の形態に係る、端子を取り付けるとともに第１係止部を保持位置に位置付けた時の圧接工具を示す斜視図である。
【図３４】図７に対応する断面図であり、保持状態のコネクタを示す。
【図３５】関連技術に係る高周波伝送プラグを示す図である。
【発明を実施するための形態】
【００２１】
以下、本発明の一実施の形態に係るコネクタ及びコネクタ組立体について、図面を参照しつつ説明する。全図を通じて同一の要素には同一の符号を付す。本実施の形態で用いる前・後・上・下・左・右の方向を示す用語は、本実施の形態の理解を容易にするために用いるのであって、本発明を限定する趣旨ではない。
【００２２】
本発明の一実施の形態に係るコネクタ１００は、斜視図である図１及び２に示すように、複数の心線１０３を含むケーブル１０１の端部１０１＿Ｅが接続されて、モジュラージャックなどの相手コネクタ（図示せず）と互いに嵌り合うコネクタである。コネクタ１００は、相手コネクタと互いに嵌り合うことによって、ケーブル１０１の心線１０３と当該相手コネクタに接続された配線（図示せず）とを電気的に接続する。
【００２３】
ここで、図１は、本実施の形態に係る、ケーブル１０１が接続されたコネクタ１００を右上前方から見た斜視図である。図２は、本実施の形態に係る、ケーブル１０１が接続されたコネクタ１００を右下前方から見た斜視図である。
【００２４】
本実施の形態に係るケーブル１０１は、差動伝送に好適に採用されるツイストペアケーブルである。ケーブル１０１の端部１０１＿Ｅは、その先端から予め定められた長さＬ１までの部分であり、コネクタ１００の内部に配置される。ケーブル１０１の端部１０１＿Ｅは、図３に示すように、被覆部材１０２と、８本の心線１０３と、導体箔１０４とを含む。ここで、図３は、長さ方向に対して垂直な方向から見たケーブル１０１の側面図である。
【００２５】
被覆部材１０２は、８本の心線１０３を束ねてその周囲を被覆する絶縁性の部材である。ケーブル１０１の端部１０１＿Ｅのうち、ケーブル１０１の先端から予め定められた長さＬ２（Ｌ２＜Ｌ１）までの部分では、被覆部材１０２が設けられておらず、心線１０３が剥き出しになっている。
【００２６】
８つの心線１０３の各々は、絶縁性の部材で被覆された電線である。８つの心線１０３は、被覆部材１０２の内部で２本ずつ撚り合わされることで対をなす。本実施の形態では、８つの心線１０３は、心線１０３＿Ａ１及び１０３＿Ａ２の対、心線１０３＿Ｂ１及び１０３＿Ｂ２の対、心線１０３＿Ｃ１及び１０３＿Ｃ２の対、心線１０３＿Ｄ１及び１０３＿Ｄ２の対から構成される。ケーブル１０１の端部１０１＿Ｅで剥き出しとなった心線１０３の各対は、撚りが解かれて概ね平行に延びている。
【００２７】
ここで、心線１０３とは、心線１０３＿Ａ１，１０３＿Ａ２，１０３＿Ｂ１，１０３＿Ｂ２，１０３＿Ｃ１，１０３＿Ｃ２，１０３＿Ｄ１，１０３＿Ｄ２の総称であって、各々を特に区別する必要がない場合、以下においても同様に心線１０３と表記する。
【００２８】
導体箔１０４は、金属などを材料とする薄いフィルム状の導体であって、ケーブル１０１の端部１０１＿Ｅにおいて被覆部材１０２の外周面の予め定められた範囲に巻き回されている。導体箔１０４は、接着などにより被覆部材１０２の外周面に固定されるとよい。
【００２９】
なお、ケーブル１０１に含まれる心線１０３の数は、８本に限られず、複数であればよい。また、心線１０３は、被覆部材１０２の内部において、３本以上が撚り合わせられてもよく、被覆部材１０２の内部で撚り合わせられずに単線で概ね平行に配置されてもよい。さらに、心線１０３は、電気信号を送受信するための被覆された電線に限られず、光信号を送受信するための適宜被覆された信号線、電力を供給するための被覆された電線などであってもよい。
【００３０】
コネクタ１００は、図１〜２及び４〜７に示すように、ハウジング１０５と、係止部材１０６と、整列部材１０７と、８つの端子１０８と、導電シェル１０９と、ブーツ１１０とを備える。
【００３１】
ここで、図４は、本実施の形態に係るコネクタ１００を右上前方から見た分解斜視図である。図５は、本実施の形態に係るコネクタ１００を右下前方から見た分解斜視図である。図６は、本実施の形態に係るコネクタ１００を前方から見た正面図である。図７は、図６のＶＩＩ−ＶＩＩ線におけるコネクタ１００の断面を右方から見た図である。
【００３２】
ハウジング１０５は、その内部に配置されるケーブル１０１の端部１０１＿Ｅを保持する部材であって、例えば、射出成形などによって一体的に形成された樹脂製である。ハウジング１０５は、図５〜８に示すように、ハウジング本体１１１と、嵌合係止部１１２と、一対の第１ブーツ取付爪部１１３＿Ｌ，１１３＿Ｒとを含む。
【００３３】
ここで、図８は、本実施の形態に係る、導電シェル１０９が取り付けられたハウジング１０５を後方から見た図である。
【００３４】
ハウジング本体１１１は、前後方向に長い概ね直方体の部材であって、後端に設けられた開口ＯＰを通じてケーブル１０１が配置される配置空間１１４を内部に有する。
【００３５】
詳細には、ハウジング本体１１１は、前壁部１１５＿Ｆと、左壁部１１５＿Ｌと、右壁部１１５＿Ｒと、上壁部１１５＿Ｕと、下壁部１１５＿Ｄと、８つの端子収容部１１６と、下開口部１１７と、第１係止部１１８と、左右のシェル係止溝部１１９とを含む。
【００３６】
前壁部１１５＿Ｆと、左壁部１１５＿Ｌと、右壁部１１５＿Ｒと、上壁部１１５＿Ｕと、下壁部１１５＿Ｄとは、それぞれ、前方、左方、右方、上方、下方に設けられる概ね矩形平板状の部位である。これらの壁部１１５＿Ｆ，１１５＿Ｌ，１１５＿Ｒ，１１５＿Ｕ及び１１５＿Ｄの内面を形成する配置面部１２０が、ハウジング本体１１１の内部から開口ＯＰへ向かって後方に延びる配置空間１１４を形成する。ここで、後方は、第１方向に相当する。
【００３７】
８つの端子収容部１１６は、それぞれ、８つの端子１０８を配置するための端子空間を形成する部位であり、左右方向に並んで設けられる。８つの端子収容部１１６の各々は、下壁部１１５＿Ｄの前端近傍と前壁部１１５＿Ｆの下端近傍とにおいて外面部と配置面部１２０とを接続する面を形成することで、配置空間１１４に連続的に接続する端子空間を形成する。
【００３８】
ここで、部位の「近傍」とは、当該部位から予め定められた範囲を意味する。
【００３９】
なお、端子収容部１１６は、各端子１０８に対応して設けられればよく、その数は、８つに限られない。
【００４０】
下開口部１１７は、下壁部１１５＿Ｄの後端近傍に左右に長い概ね矩形の開口を形成する部位であって、ハウジング本体１１１の外部と配置空間１１４とを接続する。下開口部１１７は、下開口部１１７の後方の辺を形成する部位に、第１係止部１１８が保持位置から初期位置に戻ることを抑止する戻り止め部１２１を含む。
【００４１】
ここで、「保持位置」と「初期位置」とは、それぞれ、保持状態と初期状態とにおけるハウジング本体１１１に対する第１係止部１１８の位置である。また、「保持状態」とは、ケーブル１０１の端部１０１＿Ｅが配置空間１１４から抜け出さないようにコネクタ１００に保持された状態である。「初期状態」とは、ケーブル１０１の端部１０１＿Ｅが配置空間１１４に配置される前の状態である。
【００４２】
第１係止部１１８は、図９Ａ及び９Ｂに示すように、配置空間１１４の中へ突き出すように上方に変位することによって、配置空間１１４に配置されたケーブル１０１の外表面を押圧してケーブル１０１を係止する部位である。すなわち、第１係止部１１８は、初期位置から概ね上方へ移動することによって、ケーブル１０１が係止された保持位置に変位する。
【００４３】
ここで、図９Ａは、図７の点線Ｄで囲んだ部分を拡大した図であり、初期位置に位置付けられた第１係止部１１８を示す。図９Ｂは、図９Ａに対応する拡大図であり、保持位置に位置付けられた第１係止部１１８を示す。
【００４４】
ここで、上方は、第１方向と直交する第２方向に相当する。また、「係止」とは、部材同士が接触により係わり合って、少なくとも一方向の相互の移動を抑止することをいう。
【００４５】
本実施の形態に係る第１係止部１１８は、概ね左右方向に延びた三角柱状をなす。第１係止部１１８は、側方から見た断面において、最も前方に位置する頂点（接続部１２２）が下開口部１１７に接続し、当該頂点を含む辺の１つを構成する係止面部１２５が概ね上方を向くように配置された三角形をなす。ただし、第１係止部１１８の後方に位置する面は、後述するように湾曲している。
【００４６】
より詳細には、第１係止部１１８は、図８、図９Ａ及び９Ｂに示すように、接続部１２２と、第１突部１２３と、第２突部１２４と、係止面部１２５とを含む。
【００４７】
接続部１２２は、上述の通り、側方から見て最も前方に位置する頂点を形成する部位であって、下開口部１１７の前方の辺を形成する部位に接続する。接続部１２２は樹脂製であって可撓性を有するので、第１係止部１１８は、接続部１２２を中心に概ね上方へ向かうように（右方から見た場合に左回りに）回転移動する。この回転移動により、第１係止部１１８は、初期位置から保持位置に変位する。
【００４８】
第１突部１２３は、側方から見て接続部１２２の後方に位置する頂点のうち、下方に位置する頂点を形成する部位である。第１突部１２３は、第１係止部１１８が初期位置にある場合、戻り止め部１２１よりも下方に位置する。そして、第１係止部１１８が保持位置に変位すると、第１突部１２３は、保持状態では戻り止め部１２１よりも上方に位置づけられる。
【００４９】
第１突部１２３は、第１係止部１１８が初期状態から保持状態に至る変位の途中で、戻り止め部１２１と接触する。このとき、第１突部１２３を上方へ押圧することによって第１突部１２３が戻り止め部１２１から押圧されると、樹脂製の第１係止部１１８が弾性変形するので、第１突部１２３は、戻り止め部１２１と接触しながら上方へ移動することができる。戻り止め部１２１の前方を通過すると、第１係止部１１８は、その弾性により初期状態と同様の形状に戻るので、第１突部１２３が戻り止め部１２１に接触することによって下方への移動が抑止される。
【００５０】
第２突部１２４は、側方から見て接続部１２２の後方に位置する頂点のうち、上方に位置する頂点を形成する部位である。第２突部１２４は、第１係止部１１８が初期位置から保持位置に変位する過程において概ね上方へ移動して、保持位置では配置空間１１４の中へ突き出すように位置づけられる。これにより、保持位置に位置づけられた第２突部１２４は、ケーブル１０１の端部１０１＿Ｅの外表面を押圧して係止する。なお、初期位置では、第２突部１２４は、ケーブル１０１が上方を移動できるように位置づけられる。
【００５１】
本実施の形態では、保持位置の第２突部１２４を後方から見ると、第２突部１２４は、図９Ｃに示すように、左右方向の概ね中央に下方へ突き出す円弧状に湾曲した部分を含む。ここで、図９Ｃは、図７のＩＸ＿Ｃ−ＩＸ＿Ｃ線における、第１係止部１１８が保持位置にある場合のコネクタ１００を後方から見た断面図である。なお、第２突部１２４は、上述の通り湾曲した部分を含むため、図９Ａ及び９Ｂでは、点ではなく、線として表れている。
【００５２】
第２突部１２４の湾曲した部分の曲率半径は、ケーブル１０１の曲率半径よりも大きいことが望ましい。ケーブル１０１の曲率半径とは、ケーブル１０１の半径に相当し、ケーブル１０１の延在方向に垂直な断面においてケーブル１０１の外表面が形成する円の半径である。
【００５３】
係止面部１２５は、例えば、初期状態を示す図８及び９Ａ、保持状態を示す図９Ｂに示すように、接続部１２２と第２突部１２４とを接続する部位であって、概ね矩形の平面を形成する。ただし、係止面部１２５の後方の辺部は、内部へ突き出すように湾曲した部分を含む。
【００５４】
詳細には、係止面部１２５は、ケーブル係止部１２６と、左右の規制部１２７＿Ｌ，１２７＿Ｒとを含む。係止面部１２５は、初期位置ではやや後方に傾斜して上方を向いており、保持位置では上前方を向く。
【００５５】
ケーブル係止部１２６は、初期位置ではケーブル１０１が上方を通過できるように位置づけられる。そして、保持位置では、ケーブル係止部１２６は、配置空間１１４に配置されたケーブル１０１の外表面を第２突部１２４とともに押圧し、ケーブル１０１がハウジング１０５に対して後方へ移動しないようにケーブル１０１を係止する。
【００５６】
左右の規制部１２７＿Ｌ，１２７＿Ｒは、ケーブル係止部１２６の左右それぞれに位置する部分である。規制部１２７＿Ｌ，１２７＿Ｒは、初期位置では係止部材１０６（詳細後述）が上方を通過できるように位置づけられる。そして、保持位置では、係止部材１０６と接触することによって、ハウジング１０５に対する係止部材１０６の後方への移動を規制する。
【００５７】
左右のシェル係止溝部１１９は、図５に示すように、下壁部１１５＿Ｄの下面に溝を形成する部位であり、前後方向には下開口部１１７と端子収容部１１６との間で概ね同じ位置に設けられる。本実施の形態では、左右のシェル係止溝部１１９は、それぞれ、左方と右方とに開放する溝を含む。なお、シェル係止溝部１１９は、左右のいずれか１つであってもよく、左右に連続した溝を形成してもよい。
【００５８】
嵌合係止部１１２は、例えば図１に示すように、ハウジング本体１１１の上部に設けられた部位であって、コネクタ１００が相手側コネクタに嵌め合わされると、相手側コネクタから外れないようにコネクタ１００を取り外し可能に係止する。
【００５９】
一対の第１ブーツ取付爪部１１３＿Ｌ，１１３＿Ｒは、例えば図５に示すように、下壁部１１５＿Ｄの後端から後方へ延びる部位であって、その後端近傍にブーツ１１０を係止するために下方へ突き出た爪を含む。
【００６０】
係止部材１０６は、配置空間１１４に配置されて、ハウジング１０５とともにケーブル１０１を配置空間１１４に保持するための部材であって、例えば、射出成形などにより一体的に形成された樹脂製である。
【００６１】
詳細には、係止部材１０６は、図１０〜１１に示すように、心線保持部１２８と、連結部１２９＿Ｌ，１２９＿Ｒと、一対の第２係止部１３０＿Ｌ，１３０＿Ｒとを含む。
【００６２】
ここで、図１０は、本実施の形態に係る、一対の第２係止部１３０＿Ｌ，１３０＿Ｒが係止位置（詳細後述）にある場合の係止部材１０６を右上前方から見た斜視図である。図１１は、本実施の形態に係る、一対の第２係止部１３０＿Ｌ，１３０＿Ｒが係止位置（詳細後述）にある場合の係止部材１０６を前方から見た正面図である。
【００６３】
心線保持部１２８は、概ね直方体をなす部位であって、被覆部材１０２を剥がして撚りが解かれたケーブル１０１の心線１０３を２本の対ごとに分けて保持する。
【００６４】
詳細には、心線保持部１２８は、図１０〜１６に示すように、４つの仕分け部１３１と、一対の嵌合溝部１３２とを含む。
【００６５】
ここで、図１２は、本実施の形態に係る心線保持部１２８の後面に沿った係止部材１０６の断面図であって、後方から見た心線保持部１２８を示す。図１３は、図１２のＸＩＩＩ−ＸＩＩＩ線における心線保持部１２８の断面を上方から見た図である。図１４は、図１２のＸＩＶ−ＸＩＶ線における心線保持部１２８の断面を上方から見た図である。図１５は、図１２のＸＶ−ＸＶ線における心線保持部１２８の断面を右方から見た図である。図１６は、図１２のＸＶＩ−ＸＶＩ線における心線保持部１２８の断面を右方から見た図である。
【００６６】
４つの仕分け部１３１の各々は、前後方向に貫通する孔を形成する部位であって、上下左右のそれぞれに位置する仕分け部１３１＿Ｕ，１３１＿Ｄ，１３１＿Ｌ，１３１＿Ｒから構成される。ここで、仕分け部１３１は、上下左右のそれぞれに位置する仕分け部１３１＿Ｕ，１３１＿Ｄ，１３１＿Ｌ，１３１＿Ｒの総称であって、各々を特に区別する必要がない場合、以下においても同様に仕分け部１３１と表記する。
【００６７】
仕分け部１３１の各々が形成する貫通孔は、心線１０３の対を通過させるための前後に延びる（すなわち、第１方向に沿った）貫通孔である。図１２の点線で例示するように心線１０３の対を仕分け部１３１に通過させることで、心線１０３の対で構成されるグループに分けて前後方向に心線１０３を配置することができる。
【００６８】
なお、心線保持部１２８は、心線１０３をグループに分けて保持すればよく、そのグループは、２本の心線１０３に限られず、１つの心線１０３から構成されてもよく、３本以上の心線１０３から構成されてもよい。また、心線１０３が分けられるグループの数は、４つに限られず、１つ以上であればよい。また、仕分け部１３１は、心線１０３を対ごとに分けて前後方向に配置できればよく、例えば心線保持部１２８の外面に設けられる溝を形成してもよい。
【００６９】
一対の嵌合溝部１３２は、心線保持部１２８の左右の外側面に溝を形成する部位であって、心線保持部１２８の前端から予め定められた長さ後方へ延びる。
【００７０】
連結部１２９＿Ｌ，１２９＿Ｒは、心線保持部１２８と一対の第２係止部１３０＿Ｌ，１３０＿Ｒのそれぞれとを連結する部位である。
【００７１】
詳細には、連結部１２９＿Ｌは、心線保持部１２８の後面部における左端部と第２係止部１３０＿Ｌの前端部とを連結する。連結部１２９＿Ｒは、心線保持部１２８の後面部における右端部と第２係止部１３０＿Ｒの前端部とを連結する。
【００７２】
ここで、心線保持部１２８の後面部は、本実施の形態に係る心線保持部１２８の後方を向く面を形成する部位であって、心線保持部１２８の第１方向に沿った端部のうちの一端部に相当する。
【００７３】
連結部１２９＿Ｌ，１２９＿Ｒの各々は、上下方向に細長く左右方向の幅が薄い。そして、連結部１２９＿Ｌ，１２９＿Ｒの各々は、樹脂製である。そのため、連結部１２９＿Ｌ，１２９＿Ｒの各々が弾性変形することができるので、第２係止部１３０＿Ｌ，１３０＿Ｒのそれぞれは、連結部１２９＿Ｌ，１２９＿Ｒを概ね上下方向の回転軸（中心）として心線保持部１２８に対して回転する。
【００７４】
一対の第２係止部１３０＿Ｌ，１３０＿Ｒは、保持状態では配置空間１１４に配置され、この場合に配置面部１２０と接触することによって左右方向に対置されて概ね平行に延びる部位である。そして、保持状態では、一対の第２係止部１３０＿Ｌ，１３０＿Ｒは、配置空間１１４に配置されたケーブル１０１の外表面を押圧して挟むことによって当該ケーブル１０１を係止する。
【００７５】
ここで、本実施の形態の右方又は左方が第３方向に相当する。そして、左右方向に対置されることは、第１方向と直交し且つ第２方向と交差する第３方向に沿って対置されることに相当する。
【００７６】
本実施の形態では、第２係止部１３０＿Ｌは、連結部１２９＿Ｌを介して心線保持部１２８の後面部の左端部に接続して、概ね後方に延びる。第２係止部１３０＿Ｒは、連結部１２９＿Ｒを介して心線保持部１２８の後面部の右端部に接続して、概ね後方に延びる。
【００７７】
第２係止部１３０＿Ｌ，１３０＿Ｒのそれぞれは、上述の通り、連結部１２９＿Ｌ，１２９＿Ｒを回転軸として心線保持部１２８に対して回転することができる。これにより、第２係止部１３０＿Ｌ，１３０＿Ｒは、概ね左右方向に変位して間隔を変化させて、図１０〜１１に示す係止位置と、図１７〜１９に示す拡幅位置とに変位する。
【００７８】
ここで、「係止位置」は、保持状態での第２係止部１３０＿Ｌ，１３０＿Ｒの位置であって、第２係止部１３０＿Ｌ，１３０＿Ｒがケーブル１０１の太さに応じた内面間の間隔を空けて平行に前後方向に延びる。係止位置では、一対の第２係止部１３０＿Ｌ，１３０＿Ｒは、ケーブル１０１を前後方向に配置して挟む。
【００７９】
また、「拡幅位置」は、初期状態での第２係止部１３０＿Ｌ，１３０＿Ｒの位置であって、第２係止部１３０＿Ｌ，１３０＿Ｒのそれぞれが左方と右方とに変位して、それぞれの内面間の間隔がケーブル１０１の太さよりも広くなる位置である。
【００８０】
図１７は、本実施の形態に係る、一対の第２係止部１３０＿Ｌ，１３０＿Ｒが拡幅位置にある場合の係止部材１０６を右上前方から見た斜視図である。図１８は、本実施の形態に係る、一対の第２係止部１３０＿Ｌ，１３０＿Ｒが拡幅位置にある場合の係止部材１０６を上方から見た平面図である。図１９は、本実施の形態に係る、一対の第２係止部１３０＿Ｌ，１３０＿Ｒが拡幅位置にある場合の係止部材１０６を後方から見た背面図である。
【００８１】
第２係止部１３０＿Ｌ，１３０＿Ｒは、配置空間１１４に配置するためにハウジング１０５に対して開口ＯＰから前方に移動すると、各々の外面が配置面部１２０と接触しながら移動する。ここで、前方は、第１方向とは逆の方向に相当する。また、第２係止部１３０＿Ｌ，１３０＿Ｒの外面とは、第２係止部１３０＿Ｌについては左方を向く面であり、第２係止部１３０＿Ｒについては右方を向く面である。
【００８２】
これによって、第２係止部１３０＿Ｌ，１３０＿Ｒの左右方向に互いに対向する内面の間隔が次第に狭くなる。このような外面間の間隔で、第２係止部１３０＿Ｌ，１３０＿Ｒは、連結部１２９＿Ｌ，１２９＿Ｒを介して間接的に心線保持部１２８の後端部に接続する。
【００８３】
詳細には、第２係止部１３０＿Ｌ，１３０＿Ｒのそれぞれは、概ね前後に細長い直方体をなしており、押圧面部１３３＿Ｌ，１３３＿Ｒと、被規制部１３４＿Ｌ，１３４＿Ｒと、第２ブーツ取付爪部１３５＿Ｌ，１３５＿Ｒとを含む。
【００８４】
押圧面部１３３＿Ｌ，１３３＿Ｒは、配置空間１１４に配置されたケーブル１０１の外表面を押圧するための湾曲面を形成する部位であって、概ね左右方向に互いに対向する。
【００８５】
詳細には、押圧面部１３３＿Ｌ，１３３＿Ｒは、それぞれ、第２係止部１３０＿Ｌの内面（概ね右方を向く面）と第２係止部１３０＿Ｒの内面（概ね左方を向く面）との後端近傍から前方へ向けて延びる湾曲した帯状の部分である。第２係止部１３０＿Ｌ，１３０＿Ｒが係止位置に位置づけられた場合、押圧面部１３３＿Ｌ，１３３＿Ｒはそれぞれ、前後方向に概ね平行に延びて、左右方向に互いに対向する。
【００８６】
より詳細には、押圧面部１３３＿Ｌが形成する湾曲面は、左方へ突き出すように湾曲した部分円柱状である。押圧面部１３３＿Ｒが形成する湾曲面は、左方へ突き出すように湾曲した部分円柱状である。部分円柱状とは、概ね、円柱の外面をその軸と平行な面で切り取った部分の形状である。
【００８７】
すなわち、押圧面部１３３＿Ｌ，１３３＿Ｒの各々が形成する湾曲面は、第２係止部１３０＿Ｌ，１３０＿Ｒが延びる方向から見て円弧状をなす。押圧面部１３３＿Ｌ，１３３＿Ｒの各々が形成する円弧の曲率半径はケーブル１０１の曲率半径以上であることが望ましい。
【００８８】
なお、押圧面部１３３＿Ｌ，１３３＿Ｒは、平面であってもよく、複数の平面を接続した部分角柱状であってもよい。部分角柱状とは、概ね、角柱の外面をその軸と平行な面で切り取った部分の形状である。
【００８９】
被規制部１３４＿Ｌ，１３４＿Ｒは、例えば図１０及び１９に示されるように、それぞれ、第２係止部１３０＿Ｌ，１３０＿Ｒの下面部のうちの前端近傍に設けられた下後方を向く傾斜面を形成する部位である。
【００９０】
被規制部１３４＿Ｌ，１３４＿Ｒは、それぞれ、保持状態において規制部１２７＿Ｌ，１２７＿Ｒと接触又は予め定められた間隔を空けて概ね前後方向に対向する。これにより、保持状態における規制部１２７＿Ｌ，１２７＿Ｒは、係止部材１０６がハウジング１０５に対して移動しようとすると、被係止部１３４＿Ｌ，１３４＿Ｒと接触してハウジング１０５に対する係止部材１０６の後方への移動を規制する。
【００９１】
なお、被規制部１３４＿Ｌ，１３４＿Ｒのいずれか一方のみが第２係止部１３０＿Ｌ，１３０＿Ｒの後方下端に設けられてもよい。これによっても、当該一方の被規制部１３４＿Ｌ，１３４＿Ｒが保持状態において対向する規制部１２７＿Ｌ，１２７＿Ｒと接触してハウジング１０５に対する係止部材１０６の後方への移動を規制してもよい。
【００９２】
第２ブーツ取付爪部１３５＿Ｌ，１３５＿Ｒは、それぞれ、第２係止部１３０＿Ｌ，１３０＿Ｒの後端近傍に設けられており、ブーツ１１０を係止するために左方と右方とへ突き出た爪を形成する。
【００９３】
整列部材１０７は、係止部材１０６の前方で心線１０３の各々を前後方向に向けて整列させるための部材である。整列部材１０７は、その後面部が心線保持部１２８の前端部に予め定められた長さ離れた状態で対向して配置空間１１４に配置される。
【００９４】
ここで、前後方向に向けて整列させることは、第１方向に沿って整列させることに相当する。心線保持部１２８の前端部は、心線保持部１２８の第１方向に沿った端部のうちの他端部に相当する。
【００９５】
整列部材１０７は、図４〜５に示すように、８つの整列孔部１３６と、一対の延出部１３７とを含む。
【００９６】
８つの整列孔部１３６は、左右方向に並んで前後方向に貫通する孔を形成する部位であって、それぞれに８つの心線１０３が前後方向に通過して配置される。８つの整列孔部１３６は、配置空間１１４に配置されると、それぞれが８つの端子収容部１１６と左右方向の位置が対応するように設けられている。整列孔部１３６の各々が形成する孔は、対応する端子収容部１１６が形成する端子空間と連続するように少なくとも一部が下方に開放している。
【００９７】
ここで、整列孔部１３６とは、左方から順に設けられる整列孔部１３６＿１，１３６＿２，１３６＿３，１３６＿４，１３６＿５，１３６＿６，１３６＿７，１３６＿８の総称であって、各々を特に区別する必要がない場合、以下においても同様に整列孔部１３６と表記する。
【００９８】
一対の延出部１３７は、それぞれ、整列部材１０７の左端と右端とから後方へ延びる部位であって、左右方向に対応する嵌合溝部１３２に嵌め合わされる。延出部１３７と嵌合溝部１３２とが前後方向に接触するように互いに嵌め合わされることで、整列部材１０７は、係止部材１０６に対して位置決めされる。
【００９９】
８つの端子１０８は、図４〜５に示すように、それぞれ、８つの端子収容部１１６の中に配置される導電性の部材である。詳細には、８つの端子１０８は、配置空間１１４に配置されたケーブル１０１の端部において撚りが解かれた８つの心線１０３のそれぞれに取り付けられてハウジング１０５に保持される。
【０１００】
なお、端子１０８は、ケーブル１０１に含まれる心線１０３の各々に対応して設けられればよく、その数は、８つに限られない。
【０１０１】
導電シェル１０９は、例えば図１〜２及び４〜８に示すように、ハウジング１０５の周囲に配置される部材であって、金属などの導電性の材料で一体的に形成される。導電シェル１０９は、例えば予め定められた形状に切り出された平板を折り曲げて作られる。
【０１０２】
詳細には、導電シェル１０９は、シェル本体部１３８と、シェル延設部１３９と、左右の係止爪部１４０とを含む。
【０１０３】
シェル本体部１３８は、ハウジング１０５の周囲に配置される部位であって、ハウジング１０５の上下左右に配置される概ね矩形の壁部から構成される。
【０１０４】
シェル本体部１３８の左壁部と右壁部とは、それぞれ、ハウジング１０５の左方と右方とに配置される部位である。シェル本体部１３８の上壁部は、嵌合係止部１１２の後方に配置されて、ハウジング１０５の上方にて左右の壁部を接続する。シェル本体部１３８の下壁部は、下開口部１１７とシェル係止溝部１１９との間に配置されて、ハウジング１０５の下方にて左右の壁部を接続する。
【０１０５】
シェル延設部１３９は、シェル本体部１３８から配置空間１１４へ延びて第１係止部１１８と上下方向に対置され、配置空間１１４に配置されたケーブル１０１の外周面を押圧する部位である。
【０１０６】
詳細には、シェル延設部１３９は、シェル本体部１３８の後端から湾曲又は屈曲して上壁部１１５＿Ｕの後方を通過し、ハウジング１０５の開口を通じて配置空間１１４の中で前方へ延びる。そして、シェル延設部１３９は、配置空間１１４に配置されたケーブル１０１の導体箔１０４と接触してケーブル１０１の外表面を下方へ押圧する。
【０１０７】
本実施の形態では、シェル延設部１３９は、例えば図８に示すように、後方から見て上方へ突き出す円弧状に湾曲している。このようなシェル延設部１３９の曲率半径は、ケーブル１０１の曲率半径よりも大きいことが望ましい。
【０１０８】
左右の係止爪部１４０は、それぞれ、シェル本体部１３８の左壁部と右壁部とから湾曲又は屈曲して延びる部位である。左方の係止爪部１４０は、右方へ延びて左方のシェル係止溝部１１９の中に配置される。右方の係止爪部１４０は、左方へ延びて右方のシェル係止溝部１１９の中に配置される。このように、係止爪部１４０がそれぞれに左右の対応するシェル係止溝部１１９に嵌まることで、導電シェル１０９は、ハウジング１０５に固定される。
【０１０９】
なお、導電シェル１０９は設けられなくてもよい。この場合、ケーブル１０１に導体箔１０４が設けられなくてもよい。また、シェル延設部１３９に相当する部位は、例えば、ハウジング本体１１１の上方の配置面部１２０にハウジング１０５と一体に設けられてもよい。ここで、シェル延設部１３９に相当する部位とは、開口の近傍から配置空間１１４の中で前方へ延びて第１係止部１１８と対置され、配置空間１１４に配置されたケーブル１０１の外周面を押圧する部位である。この部位は、シェル延設部１３９と同様に、後方から見て、上方へ突き出す円弧状に湾曲していてもよい。
【０１１０】
ブーツ１１０は、例えば図４〜５及び２０〜２１に示すように、配置空間１１４から後方へ延びるケーブル１０１を保護するための部材であり、樹脂などから作られる。
【０１１１】
ここで、図２０は、図６のＸＸ−ＸＸ線におけるコネクタ１００の断面を右方から見た図である。図２１は、図７のＸＸＩ−ＸＸＩ線におけるコネクタ１００の断面を下方から見た図である。
【０１１２】
詳細には、ブーツ１１０は、前端部から後端部に向かって次第に細くなる概ね矩形台状をなしており、後端部にはケーブル１０１を通過させるための貫通孔部１４１を含む。ブーツ１１０の前端部は、矩形枠状をなし、ブーツ１１０の内部には貫通孔部１４１まで連続する中空が形成される。
【０１１３】
ブーツ１１０は、前端部の近傍に４つの嵌合部１４２を含む。４つの嵌合部１４２は、それぞれ、図２０〜２１に示すように、第１ブーツ取付爪部１１３＿Ｌ，１１３＿Ｒと第２ブーツ取付爪部１３５＿Ｌ，１３５＿Ｒとが嵌まる部位であり、爪が掛かる穴又は突起を形成する。
【０１１４】
これまで、本実施の形態に係るコネクタ１００の構成について説明した。ここから、コネクタ１００の組み立て方法について説明する。
【０１１５】
（コネクタ１００の組み立て方法）
コネクタ１００の組み立て方法は、これを構成する部材１０５〜１１０を組み立けることによって、コネクタ１００を組み立てる方法である。
【０１１６】
初期状態のハウジング１０５及び係止部材１０６と、整列部材１０７と、８つの端子１０８と、係止爪部１４０が下方へ延びた導電シェル１０９と、ブーツ１１０と、ケーブル１０１とが準備される。
【０１１７】
図２２の斜視図に示すように、ハウジング１０５に導電シェル１０９が取り付けられる。
【０１１８】
詳細には、導電シェル１０９が、係止爪部１４０とシェル係止溝部１１９との前後方向の位置が対応するようにハウジング１０５の周囲に取り付けられる。左右の係止爪部１４０を折り曲げることで、それぞれが左右のシェル係止溝部１１９の中に嵌め込まれる。これにより、導電シェル１０９は、ハウジング１０５に固定される。
【０１１９】
ブーツ１１０の後方から貫通孔部１４１にケーブル１０１の先端を通過させることで、図２３の斜視図に示すように、ケーブル１０１の端部１０１＿Ｅにブーツ１１０が取り付けられる。
【０１２０】
ケーブル１０１の先端から長さＬ２までの被覆部材１０２が、ケーブル１０１から剥がされた後に、被覆部材１０２が剥がされることで露出した心線１０３の撚りが解かれ、導体箔１０４が取り付けられる（図３参照）。このとき、長さＬ２は、心線１０３が係止部材１０６と整列部材１０７とを通過して整列部材１０７の前方へ突き出すことができる長さである。なお、心線１０３は、撚りが解かれても対が分かるように色などで区別されるとよい。
【０１２１】
第２係止部１３０＿Ｌ，１３０＿Ｒは、図２４の斜視図に示すように、その間隔を広げて拡幅位置に位置付けられて、心線１０３の先端が心線保持部１２８の後方に位置付けられる。そして、心線１０３が芯仕分け部１３１を通過するように後方から仕分け部１３１に挿入される。これにより、図２５の斜視図に示すように、係止部材１０６にケーブル１０１が取り付けられる。
【０１２２】
このとき、ケーブル１０１を取り付ける際に第２係止部１３０＿Ｌ，１３０＿Ｒを拡幅位置に位置付けることで、これらの間隔が狭い場合よりも、ケーブル１０１を係止部材１０６に容易に取り付けることができる。
【０１２３】
また、４対の心線１０３は、対ごとに、予め定められた互いに異なる仕分け部１３１のいずれかを通過するように仕分けして配置される。このとき、心線１０３が通過する仕分け部１３１は、心線１０３の各々に負荷が掛からないように定められるとよい。
【０１２４】
例えば、心線１０３＿Ａ１及び１０３＿Ａ２は、左方からこの順で対をなして概ね平行に仕分け部１３１＿Ｌを通過するように配置される。心線１０３＿Ｂ１及び１０３＿Ｃ２は、左方からこの順で対をなして概ね平行に仕分け部１３１＿Ｕを通過するように配置される。心線１０３＿Ｂ２及び１０３＿Ｃ１は、左方からこの順で対をなして概ね平行に仕分け部１３１＿Ｄを通過するように配置される。心線１０３＿Ｄ１及び１０３＿Ｄ２は、左方からこの順で対をなして概ね平行に仕分け部１３１＿Ｒを通過するように配置される。
【０１２５】
なお、心線１０３の各々に負荷が掛からないように、心線１０３＿Ｂ１及び１０３＿Ｃ２が、左方からこの順で対をなして概ね平行に仕分け部１３１＿Ｄを通過するように配置されてもよい。この場合、心線１０３＿Ｂ２及び１０３＿Ｃ１は、左方からこの順で対をなして概ね平行に仕分け部１３１＿Ｕを通過するように配置されるとよい。また例えば、被覆部材１０２の内部における心線１０３＿Ａ１及び１０３＿Ａ２，１０３＿Ｂ１及び１０３＿Ｂ２，１０３＿Ｃ１及び１０３＿Ｃ２，１０３＿Ｄ１及び１０３＿Ｄ２と同じ対ごとに、仕分け部１３１に配置されてもよい。
【０１２６】
そして、図２６の斜視図に示すように、仕分け部１３１を通過した心線１０３は、予め定められた順序で概ね左右方向に並んで各々が前方へ延びるように配置され、各々の先端が整列部材１０７の後方に位置付けられる。そして、係止部材１０６は、整列部材１０７の後方から、左右の延出部１３７がそれぞれに対応する嵌合溝部１３２に嵌まり、延出部１３７の後端部と嵌合溝部１３２の前端部とが接触するまで前方へ移動する。
【０１２７】
このとき、係止部材１０６から前方に延びる８つの心線１０３がそれぞれに対応する８つの整列孔部１３６を通過する。例えば、左方から心線１０３＿Ａ１，１０３＿Ａ２，１０３＿Ｂ１，１０３＿Ｂ２，１０３＿Ｃ１，１０３＿Ｃ２，１０３＿Ｄ１，１０３＿Ｄ２の順で並べられて、それぞれが、整列孔部１３６＿１〜８を通過する。これにより、図２７の斜視図に示すように、整列部材１０７が、係止部材１０６に対してその前方に位置決めされて取り付けられる。
【０１２８】
整列部材１０７よりも前方へ突き出した心線１０３は、整列部材１０７と面一になるように切断される。
【０１２９】
そして、図２８の斜視図に示すように、整列部材１０７とともに係止部材１０６が、ハウジング１０５の方向に位置付けられる。そして、図２９の斜視図に示すように、整列部材１０７及び係止部材１０６が、開口ＯＰを通じて前方の配置面部１２０に接触するまで、ハウジング１０５に対して前方へ移動する。これにより、図２９に示すように、整列部材１０７及び係止部材１０６がケーブル１０１の端部１０１＿Ｅとともに配置空間１１４に配置される。
【０１３０】
詳細には、端部１０１＿Ｅが取り付けられた整列部材１０７及び係止部材１０６が、第２係止部１３０＿Ｌ，１３０＿Ｒを拡幅位置に位置付けて（図２８参照）、ハウジング１０５の後方から開口ＯＰを通じて配置面部１２０に沿って前方へ押し込まれる。
【０１３１】
第２係止部１３０＿Ｌ，１３０＿Ｒは、ハウジング１０５に対して開口ＯＰから前方に移動すると、各々の外面がハウジングの配置面部１２０の後端と接触して次第に左右方向の間隔を狭くしながら移動する。配置面部１２０の後端とは、開口ＯＰを形成する部分である。これによって、第２係止部１３０＿Ｌ，１３０＿Ｒは、押圧面部１３３＿Ｌ，１３３＿Ｒの間隔が次第に狭くなるように変位する。
【０１３２】
そして、整列部材１０７の前端が前方に位置する配置面部１２０に接触するまで係止部材１０６をハウジング１０５の中に押し込むと、導体箔１０４がシェル延設部１３９の下方に位置付けられるとともに、第２係止部１３０＿Ｌ，１３０＿Ｒが係止位置に位置付けられる。
【０１３３】
係止位置に位置付けられた第２係止部１３０＿Ｌ，１３０＿Ｒは、それぞれの左右の外面が配置面部１２０と接触した状態で概ね平行に前後方向に延びる。そして、第２係止部１３０＿Ｌ，１３０＿Ｒは、図３０に示すように、押圧面部１３３＿Ｌ，１３３＿Ｒでケーブル１０１を左右方向から挟み、ケーブル１０１の外表面を押圧する。これによって、係止部材は、配置空間１１４においてケーブル１０１を係止する。
【０１３４】
ここで、図３０は、配置空間１１４において、係止位置に位置付けられた第２係止部１３０＿Ｌ，１３０＿Ｒがケーブル１０１を挟んだ状態を示す平面図である。
【０１３５】
このとき、整列孔部１３６は、上述したように、それぞれに対応する端子収容部１１６と連続する空間を形成する。そのため、整列孔部１３６のそれぞれに配置された心線１０３は、ハウジング１０５の下方から端子空間を通じて、ハウジング１０５の外部から接触することができる。
【０１３６】
図３１の斜視図に示すように、ブーツ１１０がハウジング１０５及び係止部材１０６に取り付けられる。
【０１３７】
詳細には、ハウジング１０５及び係止部材１０６の後方からケーブル１０１に沿って前方へブーツ１１０を移動させる。そして、ブーツ１１０は、第１ブーツ取付爪部１１３＿Ｌ，１１３＿Ｒと第２ブーツ取付爪部１３５＿Ｌ，１３５＿Ｒとがそれぞれに対応する嵌合部１４２に嵌まるように、ハウジング１０５及び係止部材１０６に押し込まれる。これにより、ブーツ１１０は、ハウジング１０５及び係止部材１０６から容易に外れないように、ハウジング１０５及び係止部材１０６に係止される。
【０１３８】
図３２及び３３の斜視図に示す圧接工具１４３によって、８つの端子１０８が取り付けられるとともに、第１係止部１１８が保持位置に位置付けられる。図３２は、端子１０８を取り付けるとともに第１係止部１１８を保持位置に変位させる直前の圧接工具を示す斜視図である。図３３は、端子１０８を取り付けるとともに第１係止部１１８を保持位置に位置付けた時の圧接工具を示す斜視図である。
【０１３９】
圧接工具１４３は、端子１０８を取り付けるとともに第１係止部１１８を初期位置から保持位置へ変位させるための器具である。圧接工具１４３は、概ね上下２つの部材を含む。圧接工具１４３の上方の部材は、整列部材１０７及び係止部材１０６とともにケーブル１０１が配置空間１１４に配置されたハウジング１０５及び導電シェル１０９を保持する。
【０１４０】
圧接工具１４３の下方の部材は、前方近傍の保持部１４４と後端近傍の押圧突起１４５とを含む。保持部１４４は、予め定められた間隔で左右方向に並べて８つの端子１０８を比較的弱い力で保持する。押圧突起１４５は、概ね直方体をなして上方へ突き出している。
【０１４１】
圧接工具１４３が上下の部材を押し付け合うことで、８つの端子１０８がそれぞれに対応する端子収容部１１６の端子空間において心線１０３の先端近傍に挿し込まれる。これにより、端子１０８は、心線１０３を被覆する絶縁性の部材を突き破って内部の電線と接触し、対応する心線１０３に固定される。その結果、端子１０８は、対応する心線１０３と電気的に接続されて端子収容部１１６に収容された状態で固定される。
【０１４２】
また、圧接工具１４３が上下の部材を押し付け合うことで、押圧突起１４５が第１係止部１１８を上方へ押し上げる。これにより、第１突部１２３が、側方断面図である図３４に示すように、戻り止め部１２１の前方を通過して、戻り止め部１２１の上方の保持位置に位置付けられる。
【０１４３】
第１係止部１１８が保持位置にある場合、第２突部１２４とケーブル係止部１２６と規制部１２７＿Ｌ，１２７＿Ｒとは、いずれも、配置空間１１４の中に突き出すように位置づけられる。ケーブル係止部１２６と規制部１２７＿Ｌ，１２７＿Ｒとが形成する面は上前方を向く。そして、ケーブル係止部１２６は、第２突部１２４とともにケーブル１０１の外表面を押圧する。
【０１４４】
保持位置の第１係止部１１８は、第２突部１２４及びケーブル係止部１２６と、シェル延設部１３９との間で、上下方向からケーブル１０１を挟むことによりケーブル１０１の端部１０１＿Ｅを係止する。これと同時に、ケーブル１０１の端部１０１＿Ｅは、第１係止部１１８及びシェル延設部１３９だけでなく、上述の通り一対の第２係止部１３０＿Ｌ，１３０＿Ｒによっても外表面が押圧されて係止されている。これにより、ケーブル１０１の端部１０１＿Ｅは、配置空間１１４に強固に固定された保持状態となる。
【０１４５】
本実施の形態に係る保持状態では、シェル延設部１３９と導体箔１０４とが接触して電気的に接続される。また、規制部１２７＿Ｌ，１２７＿Ｒは、被規制部１３４＿Ｌ，１３４＿Ｒと概ね前後方向に対置され、係止部材１０６がハウジング１０５に対して後方へ移動することを規制する。
【０１４６】
係止部材１０６は、戻り止め部１２１によって第１係止部１１８の下方への移動が抑止されるので、保持状態が維持される。このように、ケーブル１０１が接続された状態でコネクタ１００が完成する。
【０１４７】
これまで、本発明の一実施の形態について説明した。本実施の形態によれば、次のような作用・効果を奏する。
【０１４８】
（作用・効果）
本実施の形態によれば、コネクタ１００が、第１係止部１１８を含むハウジング１０５と、一対の第２係止部１３０＿Ｌ，１３０＿Ｒを含む係止部材１０６とを備える。ハウジング１０５は、内部から後方の開口ＯＰへ延びる配置空間１１４を形成する配置面部１２０を含み、係止部材１０６は、配置空間１１４に配置される。そして、第１係止部１１８は、ケーブル１０１の外表面を上方に押圧してケーブル１０１を係止する。一対の第２係止部１３０＿Ｌ，１３０＿Ｒは、配置面部１２０と接触することによってケーブル１０１の外表面を左右方向に押圧してケーブル１０１を係止する。
【０１４９】
このように、ケーブル１０１の外表面を異なる方向から押圧して係止するので、ケーブル１０１を係止するために押圧する力を分散することができる。そのため、ケーブル１０１を配置空間１１４に固定するために、例えば第１係止部１１８のみで押圧する場合の押圧力よりも各方向からの押圧力を小さくしても、ケーブル１０１を強固に固定することができる。従って、ケーブルが損傷する可能性を低減しつつ、ケーブルを強固に固定することが可能になる。
【０１５０】
本実施の形態によれば、係止部材１０６は、８つの心線１０３を保持する心線保持部１２８を含む。そして、一対の第２係止部１３０＿Ｌ，１３０＿Ｒは、それぞれ、心線保持部１２８の後端部から連結部１２９＿Ｌ，１２９＿Ｒを介して後方に延びる。
【０１５１】
このように、一対の第２係止部１３０＿Ｌ，１３０＿Ｒを心線保持部１２８の後端部から後方へ延びるように設けることによって、一対の第２係止部１３０＿Ｌ，１３０＿Ｒと心線保持部１２８とを間接的に接続して、コネクタ１００を構成する部品点数を少なくすることができる。従って、コネクタ１００を容易に組み立てることが可能になる。
【０１５２】
本実施の形態によれば、心線保持部１２８と一対の第２係止部１３０＿Ｌ，１３０＿Ｒのそれぞれとを連結する連結部１２９＿Ｌ，１２９＿Ｒをさらに含む。そして、一対の第２係止部１３０＿Ｌ，１３０＿Ｒの各々は、連結部１２９＿Ｌ，１２９＿Ｒを中心として心線保持部１２８に対して回転する。
【０１５３】
これにより、心線保持部１２８に接続して拡幅位置と係止位置とに変位する一対の第２係止部１３０＿Ｌ，１３０＿Ｒを簡易な構成で設けることができる。従って、簡易な構成で、ケーブルが損傷する可能性を低減しつつ、ケーブルを強固に固定することが可能になる。
【０１５４】
本実施の形態によれば、連結部１２９＿Ｌ，１２９＿Ｒは、心線保持部１２８及び一対の第２係止部１３０＿Ｌ，１３０＿Ｒと一体的に形成されている。これにより、心線保持部１２８に接続して拡幅位置と係止位置とに変位する一対の第２係止部１３０＿Ｌ，１３０＿Ｒを、より一層簡易な構成で設けることができる。従って、より一層簡易な構成で、ケーブルが損傷する可能性を低減しつつ、ケーブルを強固に固定することが可能になる。
【０１５５】
本実施の形態によれば、一対の第２係止部１３０＿Ｌ，１３０＿Ｒは、配置空間１１４に配置するためにハウジング１０５に対して開口から前方に移動すると、各々の外面が配置面部１２０と接触する。これによって押圧面部１３３＿Ｌ，１３３＿Ｒの間隔が次第に狭くなる。このような外面間の間隔で、一対の第２係止部１３０＿Ｌ，１３０＿Ｒは、連結部１２９＿Ｌ，１２９＿Ｒを介して心線保持部１２８の後端部に接続する。
【０１５６】
これにより、ケーブル１０１を係止部材１０６に取り付ける際には、ケーブル１０１の太さよりも広い間隔の拡幅位置に第２係止部１３０＿Ｌ，１３０＿Ｒを位置付けることができる。これにより、ケーブル１０１を係止部材１０６に容易に取り付けることができる。また、係止部材１０６をハウジング１０５に対して開口ＯＰから前方に移動させるだけで、第２係止部１３０＿Ｌ，１３０＿Ｒにケーブル１０１を係止させることができる。従って、コネクタ１００を容易に組み立てることが可能になる。
【０１５７】
本実施の形態によれば、心線保持部１２８は、８つの心線１０３をグループに分けて保持する。これにより、コネクタ１００の内部で心線１０３に負荷が掛からないように心線１０３を配置することができる。従って、より一層ケーブルが損傷する可能性を低減しつつ、ケーブルを強固に固定することが可能になる。
【０１５８】
本実施の形態によれば、８つの心線１０３は、被覆部材１０２の内部では４対の心線１０３＿Ａ１及び１０３＿Ａ２，１０３＿Ｂ１及び１０３＿Ｂ２，１０３＿Ｃ１及び１０３＿Ｃ２，１０３＿Ｄ１及び１０３＿Ｄ２から構成される。そして、心線保持部１２８は、被覆部材１０２の内部における心線１０３の対と異なる対から構成される心線１０３のグループに分けて前後方向に配置するための４つの仕分け部１３１を含む。
【０１５９】
これにより、心線１０３により一層負荷が掛からないように、コネクタ１００の内部で心線１０３を配置することができる。従って、より一層ケーブルが損傷する可能性を低減しつつ、ケーブルを強固に固定することが可能になる。
【０１６０】
仕分け部１３１の各々は、心線１０３の対を通過させるための前後方向の貫通孔を形成する。これにより、仕分け部１３１の各々は、対をなして配置された心線１０３の周囲（上下左右）が囲われる。そのため、仕分け部が前後方向の溝などを形成する場合とは異なり、心線１０３の対を仕分け部１３１の中に確実に配置して維持することができる。従って、係止部材１０６を配置空間１１４に配置する際など、組み立ての途中で心線１０３が仕分け部１３１の外部に飛び出すことがなくなり、コネクタ１００を容易に組み立てることが可能になる。
【０１６１】
本実施の形態によれば、コネクタ１００は、心線１０３の各々を前後方向に整列させるための整列部材１０７をさらに備える。整列部材１０７は、配置空間１１４において心線保持部１２８の前端部に対置される。これにより、心線１０３を左右方向に整列させて、心線１０３の一端をコネクタ１００の前方へ位置付けることができる。相手コネクタの端子の配列に応じて心線１０３をコネクタ１００の前方に配置できるので、相手コネクタ１００に接続された配線などと心線１０３とを確実かつ容易に接続することが可能になる。
【０１６２】
本実施の形態によれば、第１係止部１１８は、ケーブル１０１を係止した状態（保持状態）において、第２係止部１３０＿Ｌ，１３０＿Ｒと接触することによってハウジング１０５に対する係止部材１０６の後方への移動を規制する規制部１２７＿Ｌ，１２７＿Ｒを含む。第１係止部１１８が規制部１２７＿Ｌ，１２７＿Ｒを含むので、簡易な構成で、係止部材１０６がハウジング１０５から抜け出すことを防ぐことができる。従って、簡易な構成で、ケーブルが損傷する可能性を低減しつつ、ケーブルを強固に固定することが可能になる。
【０１６３】
本実施の形態によれば、一対の第２係止部１３０＿Ｌ，１３０＿Ｒの各々は、ケーブル１０１の外表面を押圧するための湾曲面を形成する押圧面部１３３＿Ｌ，１３３＿Ｒを含む。押圧面部１３３＿Ｌ，１３３＿Ｒは、平面であってもよく、ケーブル１０１の外表面を、線状の部位ではなく、湾曲面又は平面で押圧する。そのため、ケーブル１０１の外表面の一部に負荷が集中することを防ぐことができる。従って、より一層ケーブルが損傷する可能性を低減しつつ、ケーブルを強固に固定することが可能になる。
【０１６４】
本実施の形態によれば、第２突部１２４、シェル延設部１３９の各々が、実施の形態で説明したように湾曲している。そのため、ケーブル１０１の外表面の一部に負荷が集中することを防ぐことができる。従って、より一層ケーブルが損傷する可能性を低減しつつ、ケーブルを強固に固定することが可能になる。
【０１６５】
本実施の形態によれば、コネクタ１００は、導電シェル１０９をさらに備える。そして、導電シェル１０９は、ハウジング１０５の周囲に配置されるシェル本体部１３８と、シェル延設部１３９とを含む。シェル延設部１３９は、シェル本体部１３８から配置空間１１４へ延びて第１係止部１１８と対置される。シェル延設部１３９は、配置空間１１４に配置されたケーブル１０１の外周面を押圧する。
【０１６６】
これによれば、シェル延設部１３９によりケーブル１０１の外表面を押圧できるだけでなく、ケーブル１０１の外表面に設けられた導体箔１０４をシェル延設部１３９に電気的に接続することができる。例えば、導電シェル１０９を基準電位に接続することで、導体箔１０４を電磁シールドとして機能させることができる。従って、耐ノイズ性の高いコネクタ１００を提供することが可能になる。
【０１６７】
本実施の形態によれば、８つの心線１０３の各々は、被覆された電線である。一般的に、心線１０３が電線である場合に心線１０３が損傷すると、クロストーク、リターンロスが増大することなどによって伝送特性が悪くなることがある。本実施の形態に係るコネクタ１００では、上述の通りケーブルが損傷する可能性を低減することが可能であるので、伝送特性の悪化を抑制することが可能になる。
【０１６８】
そして、コネクタ１００は、８つの心線１０３のそれぞれに取り付けられて、ハウジング１０５に配置される８つの端子１０８をさらに備える。これにより、端子１０８を通じて心線１０３の各々を相手コネクタの配線などに接続することができる。従って、相手コネクタの配線などと、心線１０３を確実かつ容易に電気的に接続することが可能になる。
【０１６９】
以上、本発明の一実施の形態について説明した。本発明は、これまで説明した実施の形態に限定されるものではなく、次のように変形されてもよい。
【０１７０】
（変形例）
一対の第２係止部は、配置空間１１４に配置された場合に配置面部１２０と接触することによって左右方向対置され、ケーブル１０１の外表面を押圧して挟むことによってケーブル１０１を係止すればよい。このような第２係止部材は、例えば心線保持部とは分離した個別の部材によって構成されてもよい。
【０１７１】
また例えば連結部は、金属、樹脂などで作られ、概ね上下方向に沿って配置されるピンなどの軸部材であってもよい。そして、第２係止部のそれぞれは、軸部材である連結部によって心線保持部１２８の後面部に接続されて、当該連結部を中心に心線保持部に対して回転してもよい。
【０１７２】
さらに例えば、一対の第２係止部は、連結部を介さず直接的に心線保持部の後面部に接続していてもよい。この場合例えば、一対の第２係止部は、初期状態では配置面部１２０よりも幅が広く設けられ、係止状態では配置面部１２０と概ね同じ幅となるように弾性変形することによってケーブル１０１を係止できるように構成されるとよい。このような一対の第２係止部も、実施の形態と同様に、配置空間１１４に配置するためにハウジングに対して開口ＯＰから前方に移動すると、各々の外面が配置面部１２０と接触する間隔で、心線保持部の後端部に接続するとよい。そして、一対の第２係止部は、当該移動に伴う配置面部１２０との接触によって、左右方向互いに対向する内面の間隔が次第に狭くなる間隔で、心線保持部の後端部に接続するとよい。
【０１７３】
以上、本発明の実施の形態及び変形例について説明したが、本発明は、これらに限られるものではない。本発明は、これまで説明した実施の形態及び変形例の一部又は全部を適宜組み合わせた形態、その形態に適宜変更を加えた形態をも含む。
【符号の説明】
【０１７４】
１００  コネクタ
１０１  ケーブル
１０１＿Ｅ  ケーブルの端部
１０２  被覆部材
１０３，１０３＿Ａ１，１０３＿Ａ２，１０３＿Ｂ１，１０３＿Ｂ２，１０３＿Ｃ１，１０３＿Ｃ２，１０３＿Ｄ１，１０３＿Ｄ２  心線
１０４  導体箔
１０５  ハウジング
１０６  係止部材
１０７  整列部材
１０８  端子
１０９  導電シェル
１１０  ブーツ
１１１  ハウジング本体
１１２  嵌合係止部
１１３＿Ｌ，１１３＿Ｒ  第１ブーツ取付爪部
ＯＰ  開口
１１４  配置空間
１１５＿Ｆ  前壁部
１１５＿Ｌ  左壁部
１１５＿Ｒ  右壁部
１１５＿Ｕ  上壁部
１１５＿Ｄ  下壁部
１１６  端子収容部
１１７  下開口部
１１８  第１係止部
１１９  シェル係止溝部
１２０  配置面部
１２１  戻り止め部
１２２  接続部
１２３  第１突部
１２４  第２突部
１２５  係止面部
１２６  ケーブル係止部
１２７＿Ｌ，１２７＿Ｒ  規制部
１２８  心線保持部
１２９＿Ｌ，１２９＿Ｒ  連結部
１３０＿Ｌ，１３０＿Ｒ  第２係止部
１３１，１３１＿Ｕ，１３１＿Ｄ，１３１＿Ｌ，１３１＿Ｒ  仕分け部
１３２  嵌合溝部
１３３＿Ｌ，１３３＿Ｒ  押圧面部
１３４＿Ｌ，１３４＿Ｒ  被規制部
１３５＿Ｌ，１３５＿Ｒ  第２ブーツ取付爪部
１３６，１３６＿１，１３６＿２，１３６＿３，１３６＿４，１３６＿５，１３６＿６，１３６＿７，１３６＿８  整列孔部
１３７  延出部
１３８  シェル本体部
１３９  シェル延設部
１４０  係止爪部
１４１  貫通孔部
１４２  嵌合部
１４３  圧接工具
１４４  保持部
１４５  押圧突起
【図１】
2020087562.tif 000003
【図２】
2020087562.tif 000004
【図３】
2020087562.tif 000005
【図４】
2020087562.tif 000006
【図５】
2020087562.tif 000007
【図６】
2020087562.tif 000008
【図７】
2020087562.tif 000009
【図８】
2020087562.tif 000010
【図９Ａ】
2020087562.tif 000011
【図９Ｂ】
2020087562.tif 000012
【図９Ｃ】
2020087562.tif 000013
【図１０】
2020087562.tif 000014
【図１１】
2020087562.tif 000015
【図１２】
2020087562.tif 000016
【図１３】
2020087562.tif 000017
【図１４】
2020087562.tif 000018
【図１５】
2020087562.tif 000019
【図１６】
2020087562.tif 000020
【図１７】
2020087562.tif 000021
【図１８】
2020087562.tif 000022
【図１９】
2020087562.tif 000023
【図２０】
2020087562.tif 000024
【図２１】
2020087562.tif 000025
【図２２】
2020087562.tif 000026
【図２３】
2020087562.tif 000027
【図２４】
2020087562.tif 000028
【図２５】
2020087562.tif 000029
【図２６】
2020087562.tif 000030
【図２７】
2020087562.tif 000031
【図２８】
2020087562.tif 000032
【図２９】
2020087562.tif 000033
【図３０】
2020087562.tif 000034
【図３１】
2020087562.tif 000035
【図３２】
2020087562.tif 000036
【図３３】
2020087562.tif 000037
【図３４】
2020087562.tif 000038
【図３５】
2020087562.tif 000039